Podtech/llm-jp-corpus-v4-ja_patent huggingface dataset:
(57)【要約】【課題】汁受皿の水分や油などが汁受皿の出し入れ時に不用意にこぼれることを抑制するグリルを提供することを目的とするものである。【解決手段】グリル庫２内に出し入れ自在に設けられ、調理中の食品から流れ出る水分や油３などを受ける汁受皿１は、出し入れ方向に対する前後の立ち上がり面１ａの上部１ｂに、汁受皿内部に向かって庇状の突部７を設けたものであり、汁受皿１の出し入れ時に、水分や油３などが波立っても、庇状の突部７によりこぼれるのを抑制することができる。【選択図】　図１
2004135852.tif 000002
【特許請求の範囲】
【請求項１】
グリル庫内に出し入れ自在に設けられ、調理中の食品から流れ出る水分や油などを受ける汁受皿は、出し入れ方向に対する前後の立ち上がり面上部に、汁受皿内部に向かって庇状の突部を設けたグリル。
【請求項２】
庇状の突部は、汁受皿と別部材である板材により形成した請求項１に記載のグリル。
【請求項３】
庇状の突部は、汁受皿の立ち上がり面を突出して一体形成した請求項１に記載のグリル。
【発明の詳細な説明】
【０００１】
【発明の属する技術分野】
本発明は、ガスや電気等をエネルギ−とするグリルに関するもので、特にグリル庫内に出し入れ自在に設けられた汁受皿に特徴がある。
【０００２】
【従来の技術】
従来、この種のグリルにおける汁受皿は、グリル庫内に出し入れ自在に設けられ、魚などの食品の調理中に、食品から流れ出る水分や油などを受けるものである（例えば、特許文献１参照）。
【０００３】
【特許文献１】
特開平９−１１２９０９号公報
【０００４】
【発明が解決しようとする課題】
しかしながら、前記従来のグリルにおける汁受皿は、単に食品から流れ出る水分や油などを受けるものにすぎず、特別な工夫もされていないため、汁受皿をグリル庫内に勢いよく出し入れする際には、汁受皿内の水分や油などは慣性で波となり、汁受皿からこぼれてしまうという課題があった。特に、汁受皿が浅いものや、グリル扉の開閉と連動して汁受皿を出し入れするものにおいて、その傾向が顕著である。
【０００５】
本発明は、前記従来の課題を解決するもので、汁受皿をグリル庫内に出し入れする際に、汁受皿内の水分や油などが汁受皿からこぼれてしまうというをなくしたグリルの汁受皿を提供することを目的とするものである。
【０００６】
【課題を解決するための手段】
前記目的を達成するために、本発明のグリルは、汁受皿の出し入れ方向に対する前後の立ち上がり面上部に、汁受皿内部に向かって庇状の突部を設けたものである。
【０００７】
これにより、汁受皿の出し入れ時に、汁受皿内の水分や油などが波立ち汁受皿からこぼれようとするが、これを庇状の突部で抑制することができ、こぼれをなくすことができるものである。
【０００８】
【発明の実施の形態】
請求項１に記載の発明は、グリル庫内に出し入れ自在に設けられ、調理中の食品から流れ出る水分や油などを受ける汁受皿は、出し入れ方向に対する前後の立ち上がり面上部に、汁受皿内部に向かって庇状の突部を設けたグリルとしたことにより、汁受皿の出し入れ時に、汁受皿内の水分や油などが波立ち汁受皿からこぼれようとするが、これを庇状の突部で抑制することができ、こぼれをなくすことができるものである。
【０００９】
請求項２に記載の発明は、庇状の突部は、汁受皿と別部材である板材により形成した請求項１に記載のグリルとしたことにより、汁受皿内の水分や油などの波立ちを簡単な構成で抑制することができる。
【００１０】
請求項３に記載の発明は、庇状の突部は、汁受皿の立ち上がり面を突出して一体形成した請求項１に記載のグリルとしたことにより、別部材を用いることなく水分や油などのこぼれをなくすことができる。
【００１１】
【実施例】
以下、本発明の実施例について図面を用いて説明する。
【００１２】
（実施例１）
図１、図２は本発明の実施例１におけるグリルを示すものである。
【００１３】
図に示すように、汁受皿１は、グリル庫２内に出し入れ自在に設けられ、魚などの食品の調理中に、食品から流れ出る水分や油３などを受けるものである。汁受皿１には、食品を載置する焼き網４が装備され、グリル庫２の開口部に設けたグリル扉５の開閉にともなってグリル庫２内に出し入れされるものである。グリル扉５は把手６により操作されるものである。
【００１４】
そして、汁受皿１は、図２によく示されているように、出し入れ方向に対する前後の立ち上がり面１ａの上部１ｂに、汁受皿１内部に向かって庇状の突部７を止め具等で着脱自在に設けたものである。本実施例では、庇状の突部７は、汁受皿１と別部材である板材を汁受皿１の上部１ｂに取付けることより形成したものである。なお、汁受皿１は食品から流れ出る水分や油３などを受けるだけでなく、予め水を入れておき、発火しないように配慮することもできる。
【００１５】
次に動作、作用について説明すると、汁受皿１がそれ以上引き出せない位置まで引き出されると、そこで汁受皿１は止まるが汁受皿１内の水分や油３などは慣性で波立ち、汁受皿１の立ち上がり面１ａに衝突する。そして衝突した水分や油３などは、図１に示すように、上方へと移動するが、庇状の突部７があるため、波立ちは進行方向とは反対側へと反射されることになる。従って、立ち上がり面１ａを乗り越えることはなく、こぼれ落ちを抑制することができる。なお、汁受皿１の掃除が必要な場合は、庇状の突部７を取り外せば容易に行なうことができる。
【００１６】
（実施例２）
図３は本発明の実施例２におけるグリルの汁受皿を示すものである。実施例１との相違点は、汁受皿の庇状の突部構成にある。
【００１７】
図に示すように、汁受皿１の庇状の突部７は、汁受皿１の立ち上がり面１ａ自体の上部１ｂをプレス加工などにより突出して一体形成したものである。突部７の形状は種々のものが考えられるが、水分や油３などの波立ちを効果的に抑制するためには、突部７の下面が図示した形状よりも水平な方がよい。
【００１８】
本実施例では、部品点数が少なく、構成が簡単なものとなる。なお、庇状の突部７はプレス加工などにより汁受皿１と一体形成したが、同一形状の庇状の突部７を別部品で構成し、汁受皿１の立ち上がり面１ａの内面に着脱可能に取付けるようにすることも可能である。、
【００１９】
【発明の効果】
以上説明したように、本発明のグリルは、汁受皿の出し入れ時に、汁受皿内の水分や油などが波立ち汁受皿からこぼれようとするが、これを庇状の突部で抑制することができ、こぼれをなくすことができるものである。
【図面の簡単な説明】
【図１】本発明の実施例１におけるグリルの主要部分の断面図
【図２】同グリルの汁受皿の斜視図
【図３】本発明の実施例２におけるグリルの汁受皿を示す要部断面図
【符号の説明】
１　汁受皿
１ａ　立ち上がり面
１ｂ　上部
２　グリル庫
３　水分や油
５　グリル扉
７　庇状の突部
【図１】
2004135852.tif 000003
【図２】
2004135852.tif 000004
【図３】
2004135852.tif 000005
(57)【要約】【課題】余剰次元の情報を現次元で得る。【解決手段】ブレインワールド理論を利用した重力波を２進法で余剰次元へ照射してそこからの情報を送受信し解読し情報をやり取りする。【選択図】図１
2004135253.tif 000002
【特許請求の範囲】
【請求項１】
ブレインワールド理論を利用した重力波を２進法で余剰次元へ照射してそこからの情報を送受信し解読する装置。従って重力波で現次元と余剰次元の情報をやり取りする。
【発明の詳細な説明】
【０００１】
【発明の属する技術分野】
本発明はブレインワールド理論を利用した重力波を２進法で余剰次元へ照射してそこからの情報をやり取りし送受信し解読する装置に関する現次元と余剰次元をつなぐものである。
【０００２】
【従来の技術】
従来、現次元と余剰次元の情報をつなぐ技術はなかった。
【０００３】
【発明が解決しようとする課題】
余剰次元の情報が得られず現次元の情報だけにしか頼らざるを得なかった。
【０００４】
【課題を解決するための手段】
ブレインワールド理論を利用した重力波を２進法で余剰次元へ照射してそこからの情報をやり取りし送受信し解読する。
【０００５】
【発明の実施の形態】
発明の実施の形態を実施例にもとづき図面を参照して説明する。
図１において説明すると、１の重力波２進法式照射機から２の重力波を照射し３の重力波文字戻し機で２進法信号を解読し４の余剰次元から現次元へと同じ方法で情報を送り返す装置で繰り返す。
【０００６】
【発明の効果】
余剰次元の情報を現次元で知ることが可能となる。
【図面の簡単な説明】
【図１】本発明の斜視図である。
【符号の説明】
１重力波２進法照射機
２重力波
３重力波文字戻し機
４現次元情報戻し機
【図１】
2004135253.tif 000003
(57)【要約】　　　（修正有）【課題】農業や園芸の分野のもので、寒冷期に寒さに弱い植物を育てるための鉢やプランターとそれに被せるキャップに関するものである。【解決手段】寒冷期に植物（３）を寒気から守るために、鉢やプランター（６）を二重壁・二重底にして、さらにその上に開閉式になっているキャップ（１）を被せる。【選択図】図１
2004135648.tif 000002
【特許請求の範囲】
【請求項１】
植物を育てる鉢やプランターに被せる耐寒および効率的育成用の透明キャップ
【請求項２】
鉢やプランターは外気の影響の少ない二重壁・二重底になったもの
【請求項３】
キャップは太陽光の波長を選択吸収できる薄い色付きで透明なもの
【発明の詳細な説明】
【０００１】
【発明の属する技術分野】
この発明は、農業や園芸の分野のもので、寒冷期に寒さに弱い植物を育てるための鉢やプランターとそれに被せるキャップに関するものである。
【０００２】
【従来の技術】
従来，寒冷期において鉢やプランターで寒さに弱い植物を屋外で育てることは困難で、多くの場合は温かい室内や小型の簡易温室の中で育てていた。従って、寒冷期に庭先やベランダで自由に寒さに弱い植物を育てて鑑賞するのが困難であった。
【０００３】
【発明が解決しようとする課題】
寒冷期に、庭先やベランダで自由に寒さに弱い植物を育てて、誰でも鑑賞出きるようにすること。
【０００４】
【課題を解決するための手段】
一般的に鉢やプランター（６）には土（５）を入れ植物（３）を植える。ここでは寒冷期に植物（３）を寒気から守るために、鉢やプランター（６）を二重壁・二重底にして、さらにその上にキャップ（１）を被せる。
【０００５】
【発明実施の形態】
寒冷期に、植物（３）を育てている鉢やプランター（６）を二重壁・二重底にしてその上にキャップ（１）を被せて、霜や雪から内部を守る。また、このキャップ（１）は開閉式になっているので、天気の良い日は開閉ハンドル（４）によってキャップの窓（２）を開けて植物（３）に直接光を当てて生育を促すことができる。逆に天気の悪い日や夜間は閉めて寒気から内部の植物（３）を守ることができる。さらに、寒冷期のみならず、透明なキャップの窓（２）の色を変えることによって、太陽光スペクトルの選択吸収ができ植物（３）の効率的成育や開花時期の調整等にも活用できる。
【０００６】
【発明の効果】
寒冷期に鉢やプランター（６）に植えた植物（３）を霜や雪から守り、みずみずし状態で内部の植物（３）を手軽に鑑賞できる。また、寒冷期のみならず、透明なキャップの窓（２）の色を変えることによって太陽光スペクトルの選択吸収ができ植物（３）の効率的成育や開花時期の調整等にも活用できる。
【図面の簡単な説明】
【図１】本発明の使用横面図
【図２】本発明の使用正面図
【符号の説明】
１はキャップ
２はキャップの窓
３は植物
４は開閉ハンドル
５は土
６はプランター
【図１】
2004135648.tif 000003
【図２】
2004135648.tif 000004
(57)【要約】【課題】酢及び酒粕を含む酢を、エキス粉末として簡単に製造できる方法を提供すること。【課題を解決する手段】酢及び酒粕を含む酢を乾燥する事でエキス粉末を製造する方法。【特許請求の範囲】
【請求項１】
酒製造中に得られる酢及び酒粕を含む酢を乾燥しエキス粉末にすることを特徴とする、酢及び酒粕を含む酢エキス粉末の製造方法。
【発明の詳細な説明】
【０００１】
【発明の属する技術分野】
本発明は、健康食品に利用できる、酢及び酒粕を含む酢エキス粉末の製造方法に関する。
【０００２】
【従来の技術】
これまで、酢は健康に良いとされ、酢を調味料として用いるだけでなく直接飲んでいた。しかし酢は酸が強くて飲みづらく、水溶性のため瓶等の中に入れて保存するため重くて持ち運びづらい。
【０００３】
【発明が解決しようとする課題】
本発明の目的は、酢及び酒粕を含む酢をエキス粉末として簡単に製造できる方法を提供することにある。
【０００４】
【課題を解決するための手段】
本発明は、酒を製造する過程で生じた酢及び酒粕を含む酢を乾燥することを特徴とする、酢及び酒粕を含む酢エキス粉末の製造方法である。
【０００５】
【発明の実施の形態】
本発明では、酢及び酒粕を含む酢を乾燥することによりエキス粉末が得られる。乾燥の方法としては、エキス成分の変性を抑えるために噴霧乾燥機や凍結乾燥機を用いる。上記方法で得られるエキス粉末は、健康食品として利用でき、粉末であるから多くの用途に対応できる。
【０００６】
【実施例】
（実施例１）酢及び酒粕を含む酢を噴霧乾燥機を用いて乾燥、酒粕酢エキス粉末を得た。
（実施例２）酢及び酒粕を含む酢を凍結乾燥機を用いて乾燥、酒粕酢エキス粉末を得た。
【０００７】
【発明の効果】
以上説明したように、本発明の方法により酢及び酒粕を含む酢エキスを、健康食品として利用しやすい粉末として簡単に製造することができる。水溶性から粉末に変わることにより、酸のきつさが無くなり飲みやすくなる。また、エキス化されたことで、水溶性の時と同じ栄養成分が少量の粉末になったため、服のポケットやバッグに入れて気軽に持ち運ぶことができる。
(57)【要約】【課題】白ワインにぶどうの葉のエキスを配合した緑色の新規なワインを提供する。【解決手段】生のぶどうの葉をすり潰して搾汁し、その搾汁液を白ワインに配合した後にアスコルビン酸を褐色防止処理として添加して、鮮やかな緑色ワインを得る。【特許請求の範囲】
【請求項１】
生のぶどうの葉をすり潰して搾汁し、それにより得られた搾汁液を白ワインに配合した後、完成する緑色ワインの製造方法。
【発明の詳細な説明】
【０００１】
【発明が属する技術分野】
本発明は、ぶどうの葉のエキスを白ワインに配合させた新規な緑色ワインに関するものである。
【０００２】
【従来の技術】
従来、ぶどうを原料とするワインが一般に食される時、味はもちろん、香りや色合い等その他様々な要素や特徴を楽しみながら飲用するのが主となっている。
【０００３】
また近年、それらワインの楽しみ方を広げるため、ぶどう以外の果実や野菜など各種をブレンドし、製造されるものも多く見られる。
【０００４】
【発明が解決しようとする課題】
しかしながらこれらブレンドワインの多くは、様々な風味や色合いが楽しめる一方で、ぶどうの持つ本来の風味を損なってしまう恐れがあり、コスト面においても不利である。
【０００５】
発明者は、ぶどう樹からワインの原料となる果実と葉を採取しワインにブレンドすることにより、ローコストでなおかつワイン本来の風味を損なうことのない、鮮やかな緑色をしたユニークなワインができることに着目したのである。
【０００６】
【課題を解決するための手段】
すなわちこの発明の緑色ワインの製造方法は、生のぶどうの葉をすり潰して搾汁し、その搾汁液を白ワインに配合した後にアスコルビン酸を褐色防止処理として添加して、鮮やかな緑色ワインを得ることを特徴とする。
【０００７】
【実施例】
まず白ワイン用ぶどうを予め常法によりアルコール発酵させ、澱引き、濾過しておく。次いで、ぶどう樹より採取された葉を流水でよく洗浄した後ミキサーで粉砕し、圧搾機にかけて緑色の搾汁液を得て、これを濾過まで終了させておいた白ワインに適量配合する。配合する割合は、採取する葉の色の濃さや搾汁率によって変動するので、目安として１％〜３％濃度とする。配合後、褐色防止処理としてアスコルビン酸を添加し、精密濾過せずに粗濾過（布で濾す程度）して緑色ワインを得た。
【０００８】
このように本発明実施により得られた緑色ワインは、白ワイン本来の風味を損なうことなく、若干の渋味と酸味が加味された緑色鮮やかなものであった。
【０００９】
【発明の効果】
上記のように本発明によれば、ワインの原料としては全く考えられていなかったぶどうの葉を用いて、原料はぶどう樹からすべて使用するというユニークなワインを製造することが可能になる。
(57)【要約】【構成】　ブラックペッパー、クローブ、ジンジャー、ガーリック及びオニオンを含有する畜肉矯臭用飼料添加剤。【効果】　不快な畜肉臭を感じさせない畜肉が得られる。【選択図】　なし【特許請求の範囲】
【請求項１】
　ブラックペッパー、クローブ、ジンジャー、ガーリック及びオニオンを含有することを特徴とする畜肉矯臭用飼料添加剤。
【発明の詳細な説明】
【技術分野】
【０００１】
　本発明は畜肉矯臭用飼料添加剤、更に詳細には鶏肉や豚肉等畜肉の独特の不快臭をマスキングするために飼料に添加配合して用いられる畜肉矯臭用飼料添加剤に関する。
【背景技術】
【０００２】
　一般に、鶏肉や豚肉等の畜肉はそれぞれ独特の肉臭を有し、これが気になる人にとっては不快感を禁じ得ず、肉料理を敬遠する原因となっていた。
　従来斯かる畜肉臭は、各種調理法によりその除去を図っていたのが実状であった。
【発明の開示】
【発明が解決しようとする課題】
【０００３】
　然しながら、調理法による畜肉臭の除去には限度があると共に、そもそも調理の際の畜肉臭は如何ともしようがなく、畜肉臭に不快を感じる者にとっては調理すら苦痛を伴うものであった。
【０００４】
　斯かる実状に鑑み、本発明者は不快な肉臭を感じさせることのない畜肉そのものを提供すべく種々研究を重ねた結果、特定の天然香辛料又はその精油を飼料と共に食肉用家畜に摂取させることにより、不快臭がマスキングされた畜肉が得られることを見い出し、本発明を完成した。
【課題を解決するための手段】
【０００５】
　すなわち、本発明はブラックペッパー、クローブ、ジンジャー、ガーリック及びオニオンを含有することを特徴とする畜肉矯臭用飼料添加剤である。
【発明の効果】
【０００６】
　本発明飼料添加剤を飼料に添加配合して鶏や豚等の食肉用家畜に少なくとも２週間摂取させれば、ブラックペッパー等の有効成分が畜肉に移行蓄積するので、畜肉臭がマスキングされ、不快臭のない畜肉が得られる。
　従って、本発明によれば、不快な畜肉臭を感じさせない畜肉を提供することができるので、肉臭の故に肉料理の調理や喫食を敬遠していた人々の福音となるものである。
【発明を実施するための最良の形態】
【０００７】
　本発明に於て、ブラックペッパー、クローブ、ジンジャー、ガーリック、オニオンを用いる場合は、そのままの形態でも使用されるが、適宜細断、擦り卸し、擦り潰しあるいは前記植物の精油の形態でも使用することができる。
【０００８】
　この場合、ブラックペッパー等の飼料中への配合使用量は３〜５重量％とするのがマスキング効果及び栄養バランス上好ましい。
【０００９】
　また、本発明に於てブラックペッパー等の精油を用いる場合はそのまま飼料中に添加混合しても良いが、例えばグリセリン中鎖脂肪酸エステル、大豆油、コーン油、ナタネ油、牛脂、豚脂等の油類に添加（精油含有量５０〜９０重量％）した後、コーンフラワー、小麦粉、フスマ、脱脂米糠等の粉体に吸着（精油含有量５〜１５重量％）せしめて使用するのが飼料と均一に混合できるので好ましい。
【００１０】
　この場合、例えば精油の形態であれば飼料中への配合使用量は０．００１〜０．０１５重量％とするのがマスキング効果及び栄養バランス上好ましく、また精油吸着粉体として使用するときは、当該精油吸着粉体の飼料中への配合使用量は０．１〜１．０重量‰程度とするのが好ましい。
【００１１】
　尚、本発明に於ては更に必要に応じてタイム、セージ、ローレル、オールスパイス等を配合使用することができる。
【実施例】
【００１２】
　以下実施例を挙げて本発明を更に説明する。
【００１３】
実施例１
　ブラックペッパー、クローブ、ジンジャー、ガーリック及びオニオンの各擦り潰し物を等量混合して本発明飼料添加剤を調製した。
　この飼料添加剤を後記比較例１で用いた鶏用飼料に含有量３重量％となるように添加配合して２１日令の鶏（チャンキー）に３週間給餌し育成した。そしてこの鶏を解体して鶏肉を得た。
【００１４】
実施例２
　ブラックペッパーオイル、クローブオイル、ジンジャーオイル、ガーリックオイル及びオニオンオイルの等量混合物７０ｇを、グリセリン中鎖脂肪酸エステル（炭素数８〜１０）３０ｇに添加したものを、コーンフラワー１０００ｇに吸着せしめて本発明飼料添加剤を調製した。
　この飼料添加剤の含有量が０．５重量‰となるように鶏用飼料に添加配合した以外は実施例１と同様にして鶏肉を得た。
【００１５】
比較例１
　下記組成より成る鶏用飼料を鶏に給餌し、実施例１と同様にして鶏肉を得た。
組成分　　　　　　　　　　　　　　　配合量（‰）
　トウモロコシ　　　　　　　　　　　　５００
　マイロ　　　　　　　　　　　　　　　２００
　大豆粕　　　　　　　　　　　　　　　１４０
　ナタネ粕　　　　　　　　　　　　　　　４０
　魚粉　　　　　　　　　　　　　　　　　３０
　チキンミール　　　　　　　　　　　　　３０
　イエローグリース　　　　　　　　　　　４０
　炭酸カルシウム　　　　　　　　　　　　　７
　第３リン酸カルシウム　　　　　　　　　　５
　食塩　　　　　　　　　　　　　　　　　　２
　ビタミン・ミネラルミックス　　　　　　　６
【００１６】
比較例２
　比較例１で用いた鶏用飼料にナツメグを３重量％添加配合した以外は比較例１と同様にして鶏肉を得た。
【００１７】
比較例３
　比較例１で用いた鶏用飼料にシナモンを３重量％添加配合した以外は比較例１と同様にして鶏肉を得た。
【００１８】
試験例１
　実施例１〜２及び比較例１〜３で得られた鶏肉の肉臭につき、１０名のパネルにより比較試験を行なった結果は下表の通りであった。
【００１９】
【表１】
2004135686.tif 000002
(57)【要約】【課題】本案は、カラスの生ごみ採食散乱、ヒナ育成期の威嚇攻撃、集団飛来による鳴き声の騒音、大量の排泄物（フン）による衛生上の問題解決のため、まず、カラスの生ごみ採食場所の飛来防御と貯食個所やねぐら、営巣の排除を行うためになされたものである。【解決手段】このたび、カラスの嫌いな忌避成分と消臭、殺菌成分の含まれる木酢原液の直接噴射と自然放散によって嗅覚と味覚を刺激し、生ごみ置場や集積所へのカラスの飛来防御と貯食個所やねぐら、営巣を排除するものである。【選択図】　　図１
2004135637.tif 000002
【特許請求の範囲】
【請求項１】
（イ）円筒のプラスチックまたはアクリル容器本体（１）を設け、
（ロ）Ｕ字形ノズル（２）のついたのキャップ（３）を設け、
（ハ）Ｕ字形ノズル（２）の中央部分（４）を切断し、
（ニ）キャップ（３）に空気穴（５）を設け、
（ホ）容器本体（１）に木酢原液（６）を入れる。
【請求項２】
（ヘ）手動噴射のついたキャップ（７）を設け、
（ト）容器本体（１）の木酢原液（６）に植物油（８）を混入する。
【発明の詳細な説明】
【０００１】
【発明に属する技術分野】
このたび、木酢原液（５）に含まれるカラスの嫌いな臭いの忌避成分や消臭、殺菌成分を生ごみや貯食場所、ねぐら、営巣に直接噴射し、その後の自然放散によって、長期にわたり嗅覚と味覚を刺激させカラスの飛来防御とねぐらや営巣を排除するもので、
（イ）円筒の容器本体（１）を設け、（ロ）Ｕ字形のノズル（２）のついたキャップ（３）を設け、自然放散させるため（ハ）ノズル（２）の中央部分（４）を切断し、（ニ）キャップ（３）に空気穴（５）を設け、（ホ）容器本体（１）に木酢原液（６）を入る。別に（ヘ）直接噴射させるため手動噴射のついたキャップ（７）を設け、（ト）容器本体（１）の木酢原液（６）に蒸発を防ぐため粘着性のある植物油（８）を混入するものである。
名称は「カラス避けウッドビネガー」とした。
【０００２】
【従来の技術】
現在、カラスの被害対策として、東京都ではトラップによる捕獲や防烏ネットの配布、ごみの減量を訴え、一般には、１００種類以上ともいわれるカラス避けグッズで防御策を講じているが、生ごみの採食散乱、集団飛来による鳴き声の騒音、ヒナ育成期の威嚇攻撃に対して、捕獲や視覚、聴覚の刺激によるものではあまり有効な効果が見られていない。
また、カラスは雑食性であって、オウム病（クラミジア）を保菌している小鳥を食餌とし、生死にかかわらず死骸まで採食し、オウム病に感染すると、その感染経路はカラスの分泌物や排泄物（フン）である。さらに、アメリカで猛威の西ナイルウイルスは、蚊・鳥の媒介によって、カラスや動物園の鳥が大量死し、その後も患者が相次、日本上陸も秒読みかという注意記事がでたが、この衛生上の問題の解決には、カラスの飛来防御とねぐらや営巣の排除しかなく、あまり効果が上がっていない。
【０００３】
【発明が解決しようとする課題】
本案は、カラスの生ごみ採食散乱、ヒナ育成期の威嚇攻撃、集団飛来による鳴き声の騒音、大量の排泄物（フン）による衛生上の問題解決のため、まず、カラスの生ごみ採食散乱と貯食個所への飛来防御とねぐらや営巣の排除を行うためになされたものである。
【０００４】
【課題を解決するための手段】
このたび、カラスの嫌いな忌避成分と消臭、殺菌成分の含まれる木酢原液（５）を円筒の容器に入れ、カラスの採食場である生ごみ置場や集積所の生ゴミ、屋上などのカラスの貯食場所、ねぐらや営巣に直接噴射し排除、その後の長期にわたる自然放散によってカラスの飛来を防御するもので、
（イ）円筒の容器本体（１）を設け、自然放散させるため（ロ）Ｕ字形のノズル（２）のついたのキャップ（３）を設け、（ハ）ノズル（２）の雨水の入らない中央部分（４）を切断し、（ニ）キャップ（３）に空気穴（５）を設け、（ホ）容器本体（１）に木酢原液（６）を入れる。また、別に（ヘ）手動噴射のついたキャップ（７）を設け、（ト）容器本体（１）の木酢原液（６）に蒸発を防ぐため粘着性のある植物油（８）を混入し、直接噴射と長期にわたる自然放散を併行し行うものである。
【０００５】
【発明の実施の形態】
本案は、以上のような構造であるから、これを使用するときには、カラスが飛来し採食する生ごみや生ごみ置場、集積所周辺。屋上などの貯食場所やベランダ周辺。さらに、ねぐらや営巣がある、またはあった樹木、周辺の枝に直接噴射し、その後の自然放散によって、カラスの飛来防御とねぐらや営巣を排除することである。
【０００６】
【発明の効果】
現在までの本体の直接噴射、設置テスト結果は、▲１▼東北沢スカイマンション生ごみ集積所。▲２▼世田谷区北沢の学校法人松蔭学園の昨年営巣があった樹木と隣接の屋上。▲３▼渋谷区上原の区立北沢中学校のねぐら樹木と隣接の屋上と生ごみ置場。▲４▼渋谷区上原の区立北沢小学校の屋上（貯食個所）テレビアンテナ支柱と生ごみ置場。▲５▼協和発酵テニスコート前の生ごみ集積所。▲６▼新日本石油大樹荘内の昨年営巣があった４樹木に本体をそれぞれ直接噴射し、その後の自然放散によってカラスの飛来がなくなった。
【図面の簡単な説明】
【図１】本発明の正面図
【図２】本発明の正面図
【符号の説明】
（１）は、円筒の容器
（２）は、Ｕ字形のノズル
（３）は、キャップ
（４）は、Ｕ字形ノズルの切断部分
（５）は、キャップの空気穴
（６）は、木酢原液
（７）は、手動噴射のキャップ
（８）は、植物油
【図１】
2004135637.tif 000003
【図２】
2004135637.tif 000004
(57)【要約】爪屑飛散防止カバー付きのピンセット型ペット用爪切り【課題】小型のペットはほとんどが室内飼いで、爪切り作業が必要であるにも関わらず、従来のペット用爪切りには、軽くて簡単な構造を持つ爪屑飛散防止カバー付きのペット用爪切りがなかった。【解決手段】爪切りの構造をピンセット型にすることで、爪屑飛散防止カバーを装着する。【選択図】　図４
2004135634.tif 000002
【特許請求の範囲】
【請求項１】
ピンセット型ペット用爪切り
【請求項２】
請求項１で、爪屑飛散防止用カバーを装着したペット用爪切り
【発明の詳細な説明】
【０００１】
【発明の属する技術分野】
本発明は、ペット用の爪切りの構造に関するものである。
【０００２】
【従来の技術】
従来のペット用爪切りには梃子の構造を応用したハサミ型のものと、同じく梃子の構造を応用したギロチン型と呼ばれるものとがある。ハサミ型は構造は簡単ながら、その構造上、刃物部分に爪屑飛散防止カバーを装着することが難しく、爪屑が飛散してしまうことが難点とされてきた。またギロチン型のものは、爪屑カバーを装着することができるものの、その構造上大型であるため、飼い主が片手でたやすく操作することができないなど、小型のペットには不向きであるとされてきた。
【０００３】
【発明が解決しようとする課題】
小犬・猫・ウサギ・ハムスター・リス・小鳥など、小型のペットは室内で飼うことが多いため、頻繁に爪を切る必要がある。その際、爪屑飛散防止カバーのない爪切りでは、室内に爪屑が飛び散ってしまい、飼い主にとっては爪切り作業が面倒かつ困難なものとなっていた。またギロチン型の大型の爪切りは小型のペットの爪を切るには取り回しが悪い、というのが現実である。つまり小型のペットに対して、片手で手軽に爪切り作業を施すことができ、簡単な構造でかつ爪屑飛散防止カバーを装着できるペット用爪切りを開発する必要がある。
【０００４】
【課題を解決するための手段】
ハサミ型爪切りは、ハサミの２枚の刃の部分をすり合わせることで爪を切る仕組みになっている。刃をすり合わせるとカバーが邪魔になってしまうため、刃にカバーを装着することができない。そこで、刃をすり合わせるのでなく、爪を左右から挟んで押し切るピンセット型の構造にすれば、刃全体を包み込んだカバーを装着できる。ピンセット型の構造とは、図１のように、梃子の原理を応用するのではなく、２つの刃で左右から爪を挟み込み、指の力だけで爪を切断するものである。
【０００７】
【実施例】
図５にあるように、ペットの爪を左右から挟み、押し切るような爪切りの構造にする。ペットの爪は、断面が丸くなっているために大型のペットでないかぎりハサミ型やギロチン型のような梃子の構造を応用しなくても、鋭い刃を使用することによって充分切断することが可能である。ピンセット型の爪切りは左右の刃がかみ合わせになっているだけなので、図５のごとく、刃を動かすときにカバーが邪魔にならないため、爪切り全体を包み込むような爪屑飛散防止カバーを付けることが可能となる。左右の刃の部分が開閉するため、カバーはゴム製・樹脂製・プラスティック製など、多少伸縮性のあるものを使用する。カバーは爪切り全体を覆っているので、切断したペットの爪はカバーの内側にたまり外部には飛散しない。
【０００８】
【発明の効果】
本発明による爪切りは、構造が簡単で、軽く、また小型であるため、手軽にペットの爪切り作業を行なうことができる。また爪屑飛散防止カバーの装着によって、爪屑が飛散しないため、室内でも爪切りを行なうことができる。本考案は以上のように、ペット用の爪切りの構造を根本的に改善する、画期的な効果を実現するものである。
【図面の簡単な説明】
【図１】本発明によるピンセット型ペット用爪切りの実施例。
【図２】本発明によるピンセット型爪切りの実施例の平面図。
【図３】本発明によるピンセット型爪切りの実施例の側面図。
【図４】本発明によるピンセット型爪切りに爪屑飛散防止カバーを装着した実施例。
【図５】本発明による爪屑飛散防止カバー付きピンセット型爪切りの使用例を上から見た図
【符号の説明】
１　ピンセット型ペット用爪切り
２　爪屑飛散防止カバー
３　爪切りを保持し、刃を左右から挟む人間の指
４　切断するペットの爪
【図１】
2004135634.tif 000003
【図２】
2004135634.tif 000004
【図３】
2004135634.tif 000005
【図４】
2004135634.tif 000006
【図５】
2004135634.tif 000007
(57)【要約】【課題】部品点数が少なく製作が容易なリニアモータを提供する。【解決手段】平板状のヨーク１とヨーク１に固着される永久磁石２からなる界磁部を有するリニアモータにおいて、ヨーク１の永久磁石２を固定する面１ａに、複数個の半抜き突起の磁石ガイド１ｂを、ヨーク１の長さ方向に複数個、かつ幅方向に複数列設け、ヨーク１の磁石ガイド１ｂ間に、永久磁石２を固着する。これにより、別部品を使うことなく、永久磁石２を、ヨーク１に、精度よく位置決めして、かつ簡単に取付けることができる。【選択図】　　図１
2004135399.tif 000002
【特許請求の範囲】
【請求項１】
平板状のヨークと前記ヨークに固着される永久磁石からなる界磁部を有するリニアモータにおいて、
前記ヨークの永久磁石を固定する面に、複数個の半抜き突起の磁石ガイドを、ヨークの長さ方向に複数個、かつ幅方向に複数列設け、前記ヨークの前記磁石ガイド間に、前記永久磁石を固着したことを特徴とするリニアモータ。
【請求項２】
前記ヨークの形状が断面コ字状をしており、両側の内面に半抜き突起の磁石ガイドを形成して、前記磁石ガイド間に、前記永久磁石を固着したことを特徴とする請求項１に記載のリニアモータ。
【発明の詳細な説明】
【０００１】
【発明の属する技術分野】
本発明は、平板状のヨークと前記ヨークに固着される永久磁石からなる界磁部を有するリニアモータに関するものである。
【０００２】
【従来の技術】
リニアモータは、電機子巻線部と界磁部とからなり、一方を可動子にし他方を移動子にして構成している。界磁部は平板状のヨークと前記ヨークに固着される永久磁石からなっており、永久磁石をヨークに固着する場合は、ヨークに櫛歯状の永久磁石固定用ガイドを取付け、歯と歯の間に永久磁石を配置するようにしている（特許文献１参照）。
【０００３】
【特許文献１】
特開２００１−９５２２４号公報（図１）
【０００４】
【発明が解決しようとする課題】
しかしながら、このような従来技術においては、別部材である櫛歯状の永久磁石固定用ガイドを用いるため部品点数が多く、また永久磁石固定用ガイドそのものの位置決めが面倒であるなどの問題があり、製作コストがかかっていた。
本発明は、このような問題を解決するためになされたもので、部品点数が少なく製作が容易なリニアモータを提供することを目的とするものである。
【０００５】
【課題を解決するための手段】
上記問題を解決するため、本発明は、平板状のヨークと前記ヨークに固着される永久磁石からなる界磁部を有するリニアモータにおいて、前記ヨークの永久磁石を固定する面に、複数個の半抜き突起の磁石ガイドを、ヨークの長さ方向に複数個、かつ幅方向に複数列設け、前記ヨークの前記磁石ガイド間に、前記永久磁石を固着するようにしたものである。
【０００６】
【発明の実施形態】
以下、本発明の実施例を図１ないし図３に基づいて説明する。
図１は本発明の実施例におけるリニアモータの、永久磁石固着前のヨークを示す斜視図である。図２は図１のヨークを示す断面図である。図３は図１のヨークに永久磁石を取付けている状態を示す斜視図である。
図１ないし図３において、１は断面コ字状のヨークで、両側の内面１ａに、たとえば板金加工のパンチングによって複数個の半抜き突起を形成し、これらの半抜き突起で磁石ガイド１ｂを形成している。前記半抜き突起１ｂは、前記ヨーク１の長さ方向に等間隔に複数個、かつ幅方向（紙面では上下方向）に複数列設けている。
２は永久磁石で、前記ヨーク１の前記磁石ガイド１ｂ間に挿入して、接着剤等で固着している。
前記ヨークは、このような構成であるので、別部品を使うことなく、永久磁石を精度よく位置決めして、かつ簡単に取付けることができる。
前記磁石ガイド１ｂは、丸形状が永久磁石２が挿入しやすくてよいが、丸形状に限られることはない。
また、ヨーク１は、永久磁石を対向するように配置する断面コ字状の構成に限られず、少なくとも片面だけに永久磁石を固着する平板状の構成のものであればよい。
【０００７】
【発明の効果】
以上述べたように、本発明によれば、ヨークへ半抜き突起の磁石ガイドを形成するだけで永久磁石のヨークへの取付けをきわめて簡単に行うことができるので、部品点数が少なく製作が容易なリニアモータを提供することができる。
【図面の簡単な説明】
【図１】本発明の実施例におけるリニアモータの、永久磁石固着前のヨークを示す斜視図である。
【図２】図１のヨークを示す断面図である。
【図３】図１のヨークに永久磁石を取付けている状態を示す斜視図である。
【符号の説明】
１　　ヨーク
１ａ　ヨークの内面
１ｂ　磁石ガイド
２　　永久磁石
【図１】
2004135399.tif 000003
【図２】
2004135399.tif 000004
【図３】
2004135399.tif 000005
(57)【要約】【課題】従来分散されていたグループ子局及び回線子局の通信および制御機能を統一した中間開閉器用制御装置を提供する。【解決手段】変電所の電源回線バックアップを目的とし親局からの監視及び制御指令により複数回線の開閉の監視及び制御を行う中間開閉器用制御装置において、前記親局との通信を行い前記複数回線の開閉の監視及び制御を一体管理する中央処理装置１と前記複数回線へ入出力を行う入出力手段２とを備える。また負荷管理機能として前記複数回線の計測及び事故検出を行う処理手段３を備える。【選択図】図１
2004135379.tif 000002
【特許請求の範囲】
【請求項１】
変電所の電源回線バックアップを目的とし親局からの監視及び制御指令により複数回線の開閉の監視及び制御を行う中間開閉器用制御装置において、
前記複数回線へ入出力を行う入出力手段と、
前記親局との通信を行う処理と前記入出力手段を介して前記複数回線の開閉制御を行う処理とを一体管理する中央処理装置を備えることを特徴とする中間開閉器用制御装置。
【請求項２】
前記複数回線の母線の電圧及び電流の負荷計測及び事故検出を行う計測検出手段と前記親局へデータを通信する状態通信手段を備えることを特徴とする請求項１記載の中間開閉器用制御装置。
【請求項３】
グループ及び回線子局の内部設定をするために外部機器との通信を処理する回線子局設定通信手段を備えることを特徴とする請求項１乃至２記載の中間開閉器用制御装置。
【発明の詳細な説明】
【０００１】
【発明の属する技術分野】
本発明は変電所電源回線のバックアップを目的とした複数回線（３回線分）の開閉機能をもつ中間開閉器の状態監視、制御を行う中間開閉器用制御装置に関するものである。
【０００２】
【従来の技術】
中間開閉器用装置はグループ子局（マスター）と複数回線分の回線子局に分かれており各々の子局に通信機能、制御機能を持っている。図２のように、親局又は外部操作スイッチからグループ子局へ制御指令が行われた場合、グループ子局は各回線子局へ一斉に制御指令（ハード出力）を行う。指令を受けた各回線子局はそれぞれの開閉器へ制御出力を行う。また各回線子局への個別制御指令が行われた際には各回線子局は個別に制御出力を行っている（特許文献１）。
【０００３】
【特許文献１】
特開平１０−１４１３８号公報（第２頁、第１図）
【０００４】
【発明が解決しようとする課題】
従来の技術では図２のようにグループ子局（マスター）と複数回線（３回線）の制御を行う各回線子局（スレーブ）の計４つの通信及び制御部で構成されており、コスト、消費電力及びスペースが大きいという問題があった。
また近年、負荷管理などシステムの高機能化が進んでおり個々のシステム端末においても負荷状況や事故時のデータ収集が必要となってきておりそれらに伴う付加機能が必要になっている。
そこで、本発明はこのような問題点に鑑みてなされたものであり、分散されていたグループ子局、回線子局の通信及び制御機能を統一し、また負荷管理機能を付加した中間開閉器用制御装置を提供することを目的とする。
【０００５】
【課題を解決するための手段】
上記問題を解決するため、本発明は、次のように構成したものである。
請求項１に記載の発明は、変電所の電源回線バックアップを目的とし親局から監視及び制御指令により複数回線の開閉を監視及び制御を行う中間開閉器用制御装置において、前記複数回線へ入出力を行う入出力手段と、前記親局との通信を行う処理と前記入出力手段を介して前記複数回線の開閉制御を行う処理とを一体管理する中央処理装置を備えることを特徴とするものである。
【０００６】
請求項２に記載の発明は、前記複数回線の母線の電圧及び電流の負荷を計測し並びに前記開閉器母線の短絡及び地絡の事故検出する計測検出手段を備えることを特徴とするものである。
【０００７】
請求項３に記載の発明は、前記負荷計測及び事故検出状態データを前記親局へ通信する状態通信手段と、前記グループ及び回線子局の設定状態を変更するために外部機器との通信を処理する回線子局設定通信手段を備えることを特徴とするものである。
【０００８】
上記のようにすることで、従来技術では分散されていたグループ子局、回線子局の通信及び制御機能を統一することによりソフト処理によってグループ及び回線子局を区別し通信及び制御を行うことを可能としたものである。また、前記負荷計測、事故検出状態データの入力及び計測処理手段及びそのデータ通信手段を付加することにより前記複数回線の負荷管理を可能としたものである。
【０００９】
【発明の実施の形態】
以下、本発明の実施形態を図に基づいて説明する。
図１に発明の実施例を示す。
親局との通信および回線子局の開閉制御を中央処理装置１にて一体に管理されている実施例を示す。また回線子局の入出力手段２は、各回線の入出力制御リレー４へ接続される。
図２のように従来では各回線子局に分散されていた通信機能、制御機能を統一し親局からのグループ及び複数回線への監視、制御指令などの通信機能を中央処理装置１（ＣＰＵ）で処理している。
通信機能においてグループ回線の一斉制御など開閉器の状態変化（以下状変と呼ぶ）が発生した場合、従来技術では３回線分の複数状変が発生しそれぞれの回線が状変返信するが本発明の処理方法ではソフト処理によって３回線の状変を常にチェックおり状変が同時発生であれば複数の状変返信が行われた時を摸擬したエラーコードを発生し返信することにより従来の複数の状変における通信状態と同様な動作を維持している。
【００１０】
また精度の高い計測用センサとそのアナログ処理、複数チャンネルのＡ／Ｄ変換器、高速な演算プロセッサを実装し各３回線×３相分の電圧、電流、および零相電流の実効値演算を行い負荷の計測処理、事故検出処理を計測検出手段３にて行っている。またこのデータは通信機能を行っている中央処理装置１に渡され事故の状変時における応答や各計測データの送信処理を行っている。また計測検出処理手段３は中央処理装置１にて行うことも可能である。
更に従来技術においてはグループ及び各回線子局アドレスなどの設定を外部スイッチにて行っていたが外部設定器との通信機能を付加することにより子局の内部設定を可能としている。これは、中央処理装置１にて行われる。
【００１１】
【発明の効果】
上記本発明によれば中間開閉器用制御装置において従来分散されていた通信および制御機能を統一することで機器のコストおよびスペースを大幅に軽減することができる。負荷管理機能を付加することでシステム端末としての機能向上、
また通信Ｉ／Ｆを付加し外部機器からグループ及び各回線子局の内部設定が行う機能を設けることによりメンテナンス性の向上が図れるという効果がある。
【図面の簡単な説明】
【図１】本発明の実施の形態の構成図
【図２】従来技術の構成図
【符号の説明】
１：中央処理装置
２：入出力手段
３：計測検出手段
４：回線制御入出力リレー
【図１】
2004135379.tif 000003
【図２】
2004135379.tif 000004
(57)【要約】【課題】額を壁に設置するとき、額下端左右の支え金具なしで、平行に設置でき、設置後は額の平行が強固に維持することができ、又　額の設置角度を、額の大小に合わせて、額下左右支え金具なしで、希望の角度に設置固定することができる、額の支持具を提供する。【解決手段】額を設置するとき、額の負荷を（８）（９）（１０）（１１）（１２）の５点に掛け更に（９）（１０）（１１）の３点は（８）と（１２）より高さの位置を下げ、加うるに３枚の板（９）（１０）（１１）に、、額の吊り下げ紐を上下交互に掛ける。また、本体（１）と額裏押し板（２）を連結板（３）に化粧ねじ（５）４本で連結して、屈伸作用をおこし額の大小に合わせて額裏板の押し加減で額の下端左右の支え金具なしで希望設置角度に設置できる様にした。【選択図】　　　　図１
2004135734.tif 000002
【特許請求の範囲】
【請求項１】
額の吊り下げ紐を壁取りつけ本体上部の５点に掛け、その内３点は紐の掛かる位置を外側左右２点の位置より下に下げ、又紐を上下に掛ける様にした額の支持具。
【請求項２】
額の背面の押し板の腕を本体に対して屈伸構造にしたことを特徴とする、請求項１記載の額の支持具。
【発明の詳細な説明】
【０００１】
【発明の属する技術分野】
本発明は額を壁に支持するための、額の支持具に関する。
【０００２】
【従来の技術】
従来は額を設置する支持具は額の負荷を１点の金具に掛ける構造が一般的である。従って額の平行が不安定で僅かな振動でも額が平行を失い傾くことがあった、それを防ぐために額の下端左右に支え金具を必要とした。
【０００３】
【発明が解決しようとする課題】
従来は額を希望の角度に設置したい時は額の吊り下げ紐を　長くしたり、短くしたり調節に手間がかかり又額下端左右に支え金具を必要とした。そこで本発明は、額を壁に設置するとき、額下左右の支え金具なしで、平行に設置でき、設置後は、額の平行が強固に維持することができ，又額の設置角度を、額の大小に合わせて、額下左右の支え金具なしで希望の角度に設置固定することが出来る額の支持具を提供する。
【０００４】
【課題を解決するための手段】
額の吊り下げ紐を壁取りつけ本体上部の５点に掛け、その内３点は紐の掛かる位置を左右２点の位置より下に下げ、又、紐を上下に交互に掛ける様にした額の支持具。
【０００５】
額の背面の押し板の腕を本体に対して屈伸構造にしたことを、特徴とする、請求項１記載の額の支持具
【０００６】
【発明の実施の形態】
この発明は額の負荷を従来の１点より５点にして、しかも、その２点図１の（８）から（１２）の間にある（９）（１０）（１１）の３点は（８）と（１２）より位置を下げ更に額の吊り下げの紐を上下に交互　に掛ける　様にした、その結果紐の横すべりを防ぎ額が平行に強力に安定し額下端の　支え金具なしで、額の平行の傾きを阻止した。
【０００７】
この発明は図１の取りつけ本体（１）と額裏押さえ板（２）と２枚の連結板（３）を化粧ねじ（５）の４本で連結しその屈伸構造で額裏押さえ板の角度を自由に変え又押し板の腕になる部分の長さも自由に変えられるので額の大小に合わせて希望の角度で容易に設置できる。額を希望通り設置したら４本化粧ねじ（５）を手で締めて固定する。
【０００８】
額裏押さえ板には滑り止めのゴムの板を貼り付けてある。
【０００９】
【発明の効果】
本発明は額を壁に設置するとき、額の下左右の支え金具なしで平行を強固に保持し、また、額の大小に合わせて額裏板を押さえて額を希望角度で設置することが出来る。
【図面の簡単な説明】
【図１】屈伸構造を示す斜視図
【図２】額を設置した時、真上から見た図（額の紐の掛け方を示す）
【図３】額を設置し側面からの図
【図４】正面図　（折り畳んだ状態）
【図５】側面図　（折り畳んだ状態）
【図６】背面図　（折り畳んだ状態）
【符号の説明】
（１）　壁に取りつける本体
（２）　額裏押さえ板
（３）　本体（１）と額裏押さえ板（２）の連結板
（４）　額裏押さえ板に貼り付けてある滑り止めのゴム板
（５）　化粧ねじ
（６）　化粧ねじの裏止めナット
（７）　本体を壁に取りつける釘穴
（８）　額の紐が掛かる位置（向かって左側）
（９）　額の紐の掛かる板（紐は板の下を通る）
（１０）　額の紐の掛かる板（紐は板の上を通る）
（１１）　額の紐の掛かる板（紐は板の下を通る）
（１２）　額の紐が掛かる位置（向かって右側）
（１３）　額の吊り下げ紐
（１４）　丸ワッシヤー　（屈伸作用の回転を良くするため）
（１５）　スプリング　ワッシヤー（化粧ねじの締め加減のため）
（１６）　釘穴にピン釘を差しこんだ図
【図１】
2004135734.tif 000003
【図２】
2004135734.tif 000004
【図３】
2004135734.tif 000005
【図４】
2004135734.tif 000006
【図５】
2004135734.tif 000007
【図６】
2004135734.tif 000008
(57)【要約】【課題】足の疲れている人への軽減器具で、器具が軽く移動が簡単で、気軽に使用でき、違和感、副作用がなく足の疲れを軽減できることを可能にする。【解決手段】ループ状にした平ゴムベルトを重ねて平プーリーに掛け、下がった平ゴムベルトの左右Ｕ字に成ったところに足を掛けて、吊るした状態で静止、揺さ振り運動、左右足の叩き運動、漕ぐ運動、上下運動、前後運動等をしてゴムの伸縮性を利用して足の疲れを軽減する健康器具です。又使用時間は足に接触する受け面積で変わりますが約１５分くらいを目安に使用します。【選択図】　　　　図４
2004135731.tif 000002
【特許請求の範囲】
【請求項１】
足の疲れた人が仰向けに寝て、ループ状にした平ゴムベルトを重ねて平プーリーに掛け、下がった左右平ゴムベルトのＵ字部に足を掛け、静止又は動作をして、ゴムの伸縮性を利用したところを特徴とする、足の疲れを軽減する健康器具。
【発明の詳細な説明】
【０００１】
【発明が属する技術分野】
本発明は、足の疲れを軽減する健康器具に関するものである。
【０００２】
【従来の技術】
特開２０００−１６７０８２号足吊り式健康増進具、登録実用新案第３０２４１６６号健康器具、等が提案されていますがリングに足が入れ難く、又ゴム以外のロープでは伸縮作用が無く違和感がある。
【０００３】
電動足モミ機等も使用していると、水ぶくれ、かゆみ等の副作用があり健康器具としてふさわしくない。
【０００４】
【発明が解決しようとする課題】
解決しようとする問題点は、手軽に器具の移動ができ、使用後の副作用が無く、簡単な運動で足の疲れを軽減できるようにする。
【０００５】
【課題を解決するための手段】
本発明は、スタンドに支柱を立て、上下調整支持具に平プーリー及びベルト外れ防止ガイドを付け、一本の平ゴムベルトを金具でループ状にした平ゴムベルトを重ねて平プーリーに掛け、下がった平ゴムベルトの左右Ｕ字に成ったところに布地等でカバーを付けて、その部分に足を入れて、仰向けに寝た状態で足を吊るしゴムの伸縮作用を利用して、静止又は動作をして足の疲れを軽減することを特徴とする。
【０００６】
【発明の実施の形態】
スタンド１に支柱２を立て、上下調整支持具３に平プーリー４及びベルト外れ防止ガイド５を付け、一本の平ゴムベルトを金具でループ状にした平ゴムベルト６を重ねて平プーリー４に掛け、下がった平ゴムベルトの左右Ｕ字に成ったところに布地等でカバー７を付けて、その部分に足を入れて、仰向けに寝た状態で足を吊るしゴムの伸縮作用を利用して、静止又は動作をして足の疲れを軽減する。
【０００７】
リクライニングシート又は長椅子に腰を掛け、平ゴムベルトの長さと上下調整支持具を調整して、平ゴムベルトに足を掛け静止又は動作をする。
【０００８】
平地でも上下調整支持具を調整して、平ゴムベルトに足を掛け静止又は動作ができます。
【０００９】
足の吊るす範囲は、足首からふくらはぎの間である。
【００１０】
吊り足を静止状態で持続したい時は、平ゴムベルトを平プーリーに掛けずに、上下調整支持具に平ゴムベルトを掛けてゴムの伸縮作用のみ利用します。
【００１１】
ベルトカバー部を幅広のソフト樹脂等７−１を平ゴムベルト６にマジックベルト等７−２で止め付け、その上に足を乗せて静止又は動作をすると長時間持続可能になります。
【００１２】
体重８０キログラム以上の人は、支柱の前後に平ゴムベルトを装着すると安全な運動ができます。
【００１３】
【発明の効果】
足を平ゴムベルトに吊るし停止、ゆさぶり、左右足の叩き、漕ぐ、上下、前後運動等をすると足が楽になります。
【図面の簡単な説明】
【図１】足の疲れを軽減する器具の実施の形態を示す平面図である。
【図２】足の疲れを軽減する器具の実施の形態を示す側面図である。
【図３】足の疲れを軽減する器具の実施の形態を示す背面図である。
【図４】足の疲れを軽減する器具の実施の形態を示す立体図である。
【図５】足の疲れを軽減する器具のベルトカバー部の実施の形態を示す立体図である。
【符号の説明】
１　　スタンド
２　　支柱
３　　上下調整支持具
４　　平プーリー
５　　ベルト外れ防止ガイド
６　　足掛け長さ調整ゴムベルト
７ー１　　幅広ソフト樹脂
７ー２　　マジックベルト
【図１】
2004135731.tif 000003
【図２】
2004135731.tif 000004
【図３】
2004135731.tif 000005
【図４】
2004135731.tif 000006
【図５】
2004135731.tif 000007